(57)【要約】      （修正有）【課題】複数の信号フォーマットを混在させて記録再生を行う記録再生機能と、外部機器と接続を確立して再生信号を出力する通信機能を有する記録再生装置において、ＰＣが読み込んだドライバと異なる信号フォーマットをＰＣに入力することによるＰＣのハングアップを回避する。【解決手段】映像信号や制御信号の授受を行う機能を有するカムコーダ１００とＰＣ２００をＩＥＥＥ１３９４ケーブル３００を介して接続してなる映像システム５００において、記録媒体を介して複数の信号フォーマットを混在させて信号の記録再生を行うカムコーダ１００が、ＰＣ２００との接続の確立により認識された信号フォーマットを記憶し、再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始する。【選択図】図１
2006179064.tif 000002
【特許請求の範囲】
【請求項１】
記録媒体を介して複数の信号フォーマットを混在させて信号の記録再生を行う記録再生機能と、外部機器と接続を確立して再生信号を出力する通信機能を有する記録再生装置であって、
外部機器との接続の確立により認識された信号フォーマットを記憶し、再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始する再生制御手段を備えることを特徴とする記録再生装置。
【請求項２】
記録媒体を介して複数の信号フォーマットを混在させて信号の記録再生を行う記録再生機能と、外部機器と接続を確立して再生信号を出力する通信機能を有する記録再生装置における再生制御方法であって、
外部機器との接続の確立により認識された信号フォーマットを記憶し、
再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始することを特徴とする再生制御方法。
【発明の詳細な説明】
【技術分野】
【０００１】
本発明は、記録媒体を介して複数の信号フォーマットを混在させて信号の記録再生を行う記録再生機能と、外部機器と接続を確立して再生信号を出力する通信機能を有する記録再生装置及びその再生制御方法に関する。
【背景技術】
【０００２】
従来、ビデオテープ録画再生装置において、民放の放映する映画番組などを録画する際に、番組の本編中にたびたび挿入されるＣＭをカットするために、ＣＭ放送時だけ録画を停止することが行われている。また、ＣＭをカットすること無く録画された番組をダビングする際にＣＭをカットすることも行われている（例えば、特許文献１参照）。
【０００３】
また、パーソナルコンピュータ（ＰＣ）の周辺機器だけでなく、デジタルカメラなどのデジタル機器同士の接続も可能にした高速シリアルバスの規格としてＩＥＥＥ１３９４規格がある。ＩＥＥＥ１３９４は、ＰＣにプラグ＆プレイ互換の拡張インターフェースを提供し、家電のオーディオ／ビデオ（Ａ／Ｖ）機器、記憶周辺機器およびポータブル機器用の帯域幅の保証する理想的な送信モードを持っており、最大で６３台の機器をデイジーチェーン接続またはツリー接続することができ、転送速度は１００Ｍｂｐｓ、２００Ｍｂｐｓ、４００Ｍｂｐｓが規格化されている。また、ＩＥＥＥ１３９４では、機器を動作中に抜き差しする（ホットプラグ）ことができ、接続ケーブルによる電源の供給もできるようになっている。
【０００４】
さらに、現行のＤＶ規格のカセットテープを用いてデジタルハイディフィニション（ＨＤ）映像の記録再生を可能にするＨＤＶ規格の基本仕様が策定されている。ＨＤＶ規格では、７２０ｐ（プログレッシブ）方式と１０８０ｉ（インターレース）方式に対応し、映像をＭＰＥＧ２で圧縮し、ＤＶ規格のＳＤ使用（フレーム内圧縮）と同等ビットレートでＨＤ映像の高精細な記録再生を可能にしている。
【０００５】
【特許文献１】特開平１−１９６７５８号公報
【発明の開示】
【発明が解決しようとする課題】
【０００６】
ところで、特許文献１に開示技術では、一旦番組を丸ごと記録してから必要な部分だけを再生し、不要な部分（ＣＭ等）は早送りすることが行われているが、これは予め編集ポイントの設定が必要であり記録内容の判別等を機器で行うことはない。
【０００７】
また、ＨＤＶ機器のような複数の信号フォーマットを出力できる機器をＰＣにＩＥＥＥ１３９４インターフェースを用いて接続した場合、接続時に選択されたフォーマット（ドライバが読み込まれた）と異なるフォーマットの信号が入力するとＰＣがハングアップするという問題があった。
【０００８】
そこで、本発明の目的は、上述の如き従来の問題点に鑑み、記録媒体を介して複数の信号フォーマットを混在させて信号の記録再生を行う記録再生機能と、外部機器と接続を確立して再生信号を出力する通信機能を有する記録再生装置において、ＰＣに接続した際に、ＰＣが読み込んだドライバと異なる信号フォーマットがＰＣに入力することによるＰＣのハングアップを回避することにある。また、本発明の他の目的は、メディアに記録された複数フォーマットのコンテンツを同一フォーマット毎にまとめて取り込むことができるようにすることある。
【０００９】
本発明の更に他の目的、本発明によって得られる具体的な利点は、以下に説明される実施の形態の説明から一層明らかにされる。
【課題を解決するための手段】
【００１０】
本発明は、記録媒体を介して複数の信号フォーマットを混在させて信号の記録再生を行う記録再生機能と、外部機器と接続を確立して再生信号を出力する通信機能を有する記録再生装置であって、外部機器との接続の確立により認識された信号フォーマットを記憶し、再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始する再生制御手段を備えることを特徴とする。
【００１１】
また、本発明は、記録媒体を介して複数の信号フォーマットを混在させて信号の記録再生を行う記録再生機能と、外部機器と接続を確立して再生信号を出力する通信機能を有する記録再生装置における再生制御方法であって、外部機器との接続の確立により認識された信号フォーマットを記憶し、再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始することを特徴とする。
【発明の効果】
【００１２】
本発明によれば、記録媒体を介して複数の信号フォーマットを混在させて信号の記録再生を行う記録再生機能と、外部機器と接続を確立して再生信号を出力する通信機能を有する記録再生装置において、ＰＣに接続した際に、ＰＣが読み込んだドライバと異なる信号フォーマットがＰＣに入力することによるＰＣのハングアップを回避することができる。また、メディアに記録された複数フォーマットのコンテンツを同一フォーマット毎にまとめて取り込むことができるようになる。さらに、その際には予め編集ポイント等の設定が不要となる。
【発明を実施するための最良の形態】
【００１３】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１４】
本発明は、例えば図１に示すような構成の映像システム５００に適用される。
【００１５】
この映像システム５００は、高速シリアルバスの規格であるＩＥＥＥ１３９４規格に準拠した通信インターフェースを介して映像信号や制御信号の授受を行う機能を有するカムコーダ１００とパーソナルコンピュータ（ＰＣ）２００をＩＥＥＥ１３９４ケーブル３００を介して接続してなる。
【００１６】
上記カムコーダ１００は、その要部構成を図２のブロック図に示すように、記録媒体５０を介して例えばＨＤＶフォーマットやＤＶフォーマットなど複数の信号フォーマットを混在させて信号の記録再生を行うＨＤＶ規格に準拠した記録再生機能と、上記ＰＣ２００等の外部機器と接続を確立して再生信号を出力するＩＥＥＥ１３９４規格に準拠した通信機能を有する記録再生装置であって、被写体を撮影する撮像部１０と、この撮像部１０により得られる映像信号を記録媒体５０に記録し、また、記録媒体５０から映像信号を再生する記録再生部２０と、上記撮像部１０や記録再生部２０の動作を制御する制御部３０と、上記ＰＣ２００等の外部機器と接続を確立して制御信号や映像信号の授受を行うＩＥＥＥ１３９４規格に準拠した通信インターフェース部４０等からなる。
【００１７】
撮像部１０は、カメラ部１１とこのカメラ部１１が接続されたカメラ制御部１２からなり、上記カメラ部１１により被写体を撮像した撮像出力として得られる映像信号をカメラ制御部１２を介して制御部３０の信号制御部３３に供給する。
【００１８】
記録再生部２０は、制御部３０の信号制御部３３から供給される例えばＨＤＶフォーマットやＤＶフォーマットなど複数の信号フォーマットの映像信号の記録再生を行うものであって、メカ制御部２１により制御されるメカ部２２を備え、このメカ部２２に着脱自在に装着される記録媒体５０を介して映像信号の記録再生を行う。
【００１９】
制御部３０は、ＬＣＤ表示パネル３１や電子ビューファインダ３２が接続された信号制御部３３、この信号制御部３３に接続された入出力端子３４、ユーザーＩ／Ｆ処理部３５、メモリ３６等からなり、ユーザーＩ／Ｆ処理部３５や通信インターフェース部４０を介して与えられる制御情報に応じて、上記撮像部１０から供給される映像信号をＬＣＤ表示パネル３１や電子ビューファインダ３２によりモニター表示したり、上記映像信号を信号制御部３３によりＨＤＶフォーマットやＤＶフォーマットなど複数の信号フォーマットの映像信号に変換して、記録再生部２０や通信インターフェース部４０に供給する。
【００２０】
通信インターフェース部４０は、１３９４端子４１を介して外部機器に接続される１３９４処理部４２からなる。
【００２１】
このカムコーダ１００は、上述の如くＨＤＶ（ＭＰＥＧ）／ＤＶが出力可能なＨＤＶ機器であって、そのモード設定画面の例を図３に示すように、ビデオモードスイッチによるメニュー選択でオートモード、ＨＤＶモード、ＤＶモードの３種類のモード設定を行うことができるようになっている。
【００２２】
通常、ＨＤＶ機器は、図４の（Ａ）に示すように、記録媒体５０にＨＤＶ（ＭＰＥＧ）フィーマットの映像信号とＤＶモードの映像信号が混在する状態で記録されている場合、オートモードでは、図４の（Ｂ）に示すように、記録媒体５０に記録された記録フォーマットに従って出力するが、ＨＤＶモードでは、図４の（Ｃ）に示すように、ＤＶ記録部分再生時にはＭＰＥＧダミー信号を出力し、逆にＤＶモードでは、図４の（Ｄ）に示すように、ＭＰＥＧ記録部分再生時にはＤＶダミー信号を出力する。
【００２３】
この映像システム５００において、ＰＣ２００には、上記カムコーダ１００のモード設定により、オートモードでは、接続時にＭＰＥＧテープ再生と同等の状態にあればＭＰＥＧ機器として認識され、接続時にＤＶテープ再生と同等の状態にあればＤＶ機器として認識され、ＨＤＶモードでは、ＭＰＥＧ信号しか出力されないので、ＭＰＥＧ機器として認識され、ＤＶモードでは、ＤＶ信号しか出力されないので、ＤＶ機器として認識される。
【００２４】
ここで、ＰＣ２００がドライバを選択する際の手順の一例を図５のフローチャートに示す。
【００２５】
すなわち、ＰＣ２００は、バイアス信号の検出あるいはバスリセットの検出により１３９４接続を検出したか否かを繰り返し判定しており（ステップＳ１）、１３９４接続を検出すると各種コマンドを送信し（ステップＳ２）、各種コマンドの応答を判定して（ステップＳ３）、ＭＰＥＧドライバ／ＤＶドライバの何れかを選択して読み込む（ステップＳ４，Ｓ５）。
【００２６】
このようにＰＣ２００おいて図５に示したフローチャートの手順にしたがってＭＰＥＧドライバ／ＤＶドライバの何れかを選択して読み込むようにした場合、例えば、カムコーダ１００のモード設定がオートになっていると、図６や図７に示すように、複数フォーマットの混在メディアを再生した場合出力信号が記録フォーマットに従って変化するので、ＰＣ２００側で選択されたドライバ以外の信号をカムコーダ１００が出力した時にＰＣ２００がハングアップしてしまう。
【００２７】
なお、図８や図９に示すように、カムコーダ１００のモード設定がＨＤＶモード又はＤＶモードの場合には、所定のフォーマット以外は出力しないのでＰＣ２００がハングアップすることはない。
【００２８】
そこで、この映像システム５００におけるカムコーダ１００では、通信インターフェース部４０を介してＰＣ２００との接続の確立により認識された信号フォーマットを制御部３０のメモリ３６に記憶しておくことにより、記録再生部２０は、再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始する。
【００２９】
すなわち、図１０のフローチャートに示すように、オートモードで再生動作を開始すると、先ず、ＤＶモード又はＭＰＥＧモードの選択を行い、選択した動作モードの設定フォーマットを決定し（ステップＳ１１）、設定フォーマットと記録媒体５０に記録されている再生しようとする映像信号の記録モードとが一致するか否かを判定する（ステップＳ１２）。
【００３０】
上記ステップＳ１２における判定の結果、再生しようとする映像信号の記録モードと設定フォーマットと一致している場合にはメディアエンドであるか否かを判定しながら（ステップＳ１３）、上記ステップＳ１２，Ｓ１３を繰り返すことにより、再生フォーマットでの再生処理を行い、メディアエンドになったら、再生終了処理を行って（ステップＳ１４）、再生動作を終了する。
【００３１】
また、上記ステップＳ１２における判定の結果、再生しようとする映像信号の記録モードと設定フォーマットとが一致していない場合には、設定フォーマットと一致しない記録モードの映像信号をスキップする処理を行い（ステップＳ１５）、スキップ処理後に再生しようとする映像信号の記録モードが設定フォーマットとが一致するか否かを判定する（ステップＳ１６）。
【００３２】
上記ステップＳ１６における判定の結果、再生しようとする映像信号の記録モードと設定フォーマットとが一致している場合には再生処理を再開して（ステップＳ１７）、上記ステップＳ１２の判定処理に戻る。
【００３３】
また、上記ステップＳ１６における判定の結果、再生しようとする映像信号の記録モードと設定フォーマットとが一致していない場合には、メディアエンドであるか否かを判定する（ステップＳ１８）。
【００３４】
そして、上記ステップＳ１６における判定の結果、テープエンドでない場合には、上記ステップＳ１２の判定処理に戻り、また、テープエンドである場合には、再生終了処理を行って（ステップＳ１９）、再生動作を終了する。
【００３５】
このように、オートモードでは、初めにＭＰＥＧが選択されたかＤＶが選択されたかで動作が異なる。
【００３６】
選択方法の一例としては、１３９４接続検出時にＤＶ／ＭＰＥＧのどちらを再生していたか、あるいは機器状態がどちらになっているかで決定する。
【００３７】
ＤＶ選択時においてはＤＶ記録部分は通常通り再生し、ＭＰＥＧ記録部分に入ったことを検出したら通信インターフェース部４０への出力を停止し、必要であればＤＶダミー信号の出力を行う。次に早送りあるいは高速再生などで次のＤＶ記録部分を探し検出した時点で通常再生に戻り、通信インターフェース部４０への出力も再開する。記録フォーマット変化点検出時には早送り、巻き戻し再生、再生などのように頭出しを正確に行う処理を行うようにしてもよい。
【００３８】
このように、選択された以外の信号を通信インターフェース部４０へ出力させないようにすることによって、ＰＣ２００のハングアップを防ぐことができる。
【００３９】
記録信号の検出や記録フォーマットの変化点検出は、早送り中などにおいても記録媒体５０に記録された信号の読み取りから判別できる。
【００４０】
次にＨＤＶモードの場合にはＭＰＥＧ記録部分のみを再生し、ＤＶ記録部分はスキップする。
【００４１】
同様にＤＶモードの場合はＤＶ記録部分のみを再生し、ＭＰＥＧ記録部分はスキップする。
【００４２】
各モードでのスキップ再生の例を図１１の（Ａ）〜（Ｄ）に示す。
【００４３】
以上のように、高速シリアルバスの規格であるＩＥＥＥ１３９４規格に準拠した通信インターフェースを介して映像信号や制御信号の授受を行う機能を有するカムコーダ１００とＰＣ２００をＩＥＥＥ１３９４ケーブル３００を介して接続してなる映像システム５００において、記録媒体５０を介して複数の信号フォーマットを混在させて信号の記録再生を行う記録再生機能を有するカムコーダ１００が、外部機器であるＰＣ２００との接続の確立により認識された信号フォーマットを記憶し、再生を開始した後、記憶したフォーマットと異なる信号フィーマットで記録された部分にかかったら再生信号の出力を中止し、その次に記憶した信号フォーマットで記録された部分までスキップし、そこから再生信号の出力を開始するので、カムコーダ１００をＰＣ２００に接続した際に、ＰＣ２００が読み込んだドライバと異なる信号フォーマットがＰＣ２００に入力することによるＰＣ２００のハングアップを回避することができる。また、ＰＣ２００は、記録媒体５０に記録された複数フォーマットのコンテンツを同一フォーマット毎にまとめて取り込むことができる。
【図面の簡単な説明】
【００４４】
【図１】本発明を適用した映像システムの構成を示すブロック図である。
【図２】上記映像システムにおけるカムコーダの要部構成を示すブロック図である。
【図３】上記カムコーダにおけるモード設定画面の例を示す図である。
【図４】上記カムコーダにおける記録媒体から再生される各モードでの出力例を示す図である。
【図５】上記映像システムにおけるＰＣがドライバを選択する際の手順の一例を示すフローチャートである。
【図６】上記映像システムにおけるＰＣがハングアップしてしまう設定状態の一例を示す図である。
【図７】上記映像システムにおけるＰＣがハングアップしてしまう設定状態の他の例を示す図である。
【図８】上記映像システムにおけるＰＣがハングアップしてしまうことのない設定状態の一例を示す図である。
【図９】上記映像システムにおけるＰＣがハングアップしてしまうことのない設定状態の他の例を示す図である。
【図１０】上記ＰＣのハングアップを回避するようにした上記カムコーダのオートモードでの再生動作の制御手順を示すフローチャートである。
【図１１】上記映像システムにおけるカムコーダの各モードでのスキップ再生の例を示す図である。
【符号の説明】
【００４５】
１０  撮像部、１１  カメラ部、１２  カメラ制御部、２０  記録再生部、２１  メカ制御部、２２  メカ部、３０  制御部、３１  ＬＣＤ表示パネル、３２  電子ビューファインダ、３３  信号制御部、３４  入出力端子、３５  ユーザーＩ／Ｆ処理部、３６  メモリ、４０  通信インターフェース部、４１  １３９４端子、４２  １３９４処理部、５０  記録媒体、１００  カムコーダ、２００  パーソナルコンピュータ（ＰＣ）、３００  ＩＥＥＥ１３９４ケーブル、５００  映像システム
【図１】
2006179064.tif 000003
【図２】
2006179064.tif 000004
【図３】
2006179064.tif 000005
【図４】
2006179064.tif 000006
【図５】
2006179064.tif 000007
【図６】
2006179064.tif 000008
【図７】
2006179064.tif 000009
【図８】
2006179064.tif 000010
【図９】
2006179064.tif 000011
【図１０】
2006179064.tif 000012
【図１１】
2006179064.tif 000013